(57)【特許請求の範囲】
【請求項１】
上下にネック部を有するボトル本体と、該ボトル本体の上方ネック部に着脱可能に取り付けられ壁体の側面に操作孔を有するキャップと、該キャップに設けられボトル本体を吊下げ可能な吊下げ部と、上記下方ネック部に連結されるポンプを具備し、上記キャップにはボトル本体の上方ネック部に形成した係止溝に係合するスライド係合片が設けられ、上記スライド係合片は上記上方ネック部を挿通できるよう横長の変形円形状に形成された係止孔と、上記操作孔に臨む操作部と、該係止孔を挟んで該操作部の反対側に設けられスライド係合片を操作部方向に付勢する弾性脚を有し、該スライド係合片は弾性脚の作用で周側面がキャップの壁体の内面に当接するまで操作部方向に移動し、上記係止孔には該スライド係合片が操作部方向に移動しているとき上記上方ネック部に形成した係止溝に係合可能でかつ上記弾性脚に抗してスライド係合片をキャップ内に押し込んだとき該係止溝から外れる内周係止縁が形成され、上記ポンプは可撓性のポンプ壁体を押圧することによりボトル本体内の内容物をノズルから定量吐出する構成である詰替えボトル装置。
【請求項２】
上記ポンプは、ボトル本体の上記下方ネック部に連通する流路を有し下端にノズルを連結した内方パイプと、該流路内に形成された弁孔を開閉するよう内方パイプ内に設けられたボールと、該内方パイプの中間に形成した流通孔の外周を取り囲み内容物の収納空間を形成する可撓性のあるポンプ壁体で形成されていることを特徴とする請求項１に記載の詰替えボトル装置。
【請求項３】
上記操作部は、スライド係合片が操作部方向に移動しているとき、キャップの壁体の外周面と面一になることを特徴とする請求項１または２に記載の詰替えボトル装置。
【発明の詳細な説明】
【技術分野】
【０００１】
本発明は、サウナ、旅館、ホテルその他の業務用施設において使用されている例えば、ボディソープ、シャンプー液、リンス液等の詰替えボトル装置に関するものである。
【背景技術】
【０００２】
従来、サウナ、フィットネスクラブ、旅館、スーパー銭湯、老人ホームその他の業務用施設においては、浴室内で使用するボディーソープ、シャンプー、リンス、コンディショナー等の液状物は、それぞれボトル内に所定量詰められ、業務の開始に先立って、不足分を補充したり、詰替えて使用されている。このような詰替えボトルを使用する場合、多くのボトルは上部に着脱式のポンプディスペンサーを有し、このポンプディスペンサーの押下げヘッドを押すことにより、ボトル内に延びているチューブを通してポンプのシリンダー内に液状物が吸い上げられ、ノズルから吐出する構成になっている（例えば特許文献１参照）。そのため、詰替え作業の際、上記ポンプディスペンサーをボトルから外すと、チューブの下端から液状物が滴下し、付近を汚してしまうことが多かった。また、このポンプディスペンサーを用いたボトルは床や棚等に直接置いて使用しなければならないから、不衛生であり、複数のボトルを使用する場合にはかなりの広さの置き場所を用意しなければならず、さらにポンプの押下げヘッドを続けて何回も押せば連続的に内容物が吐出されるため、必要以上のシャンプー液等を使用することになり、無駄でかつ環境汚染の原因の一つにもなっていた。なお、詰替えパウチから直接内容物を取り出せるようにした装置も提案されているが、そのような装置は通常個人的に使用するものであって、上記のように施設内で毎日内容物を補充して使用するようにしたボトル形式ではなく、業務用に最適とは言えない。
【先行技術文献】
【特許文献】
【０００３】
【特許文献１】特開２００５−１８６９６３号公報（段落００１５、図１）
【発明の概要】
【発明が解決しようとする課題】
【０００４】
本発明の解決課題は、上記のように主として業務用に使用される液状物を詰替えボトルに簡単にかつ衛生的に補充でき、広い設置場所を必要とせず、複数のボトルを狭い場所に保持でき、使用に際しても少量ずつ吐出できるようにした詰替えボトル装置を提供することである。
【課題を解決するための手段】
【０００５】
本発明によれば、上下にネック部を有するボトル本体と、該ボトル本体の上方ネック部に着脱可能に取り付けられるキャップと、該キャップに設けられボトル本体を吊下げ可能な吊下げ部と、上記下方ネック部に連結されるポンプを具備し、上記キャップにはボトル本体の上方ネック部に形成した係止溝に係合するスライド係合片が設けられ、上記ポンプは可撓性のポンプ壁体を押圧することによりボトル本体内の内容物をノズルから定量吐出する構成である詰替えボトル装置が提供され、上記課題が解決される。
【０００６】
また、本発明によれば、上記ポンプはボトル本体の上記下方ネック部に連通する流路を有し下端にノズルを連結した内方パイプと、該流路内に形成された弁孔を開閉するよう内方パイプ内に設けられたボールと、該内方パイプの中間に形成した流通孔の外周を取り囲み内容物の収納空間を形成する可撓性のあるポンプ壁体で形成されていることを特徴とする上記詰替えボトル装置が提供され、上記課題が解決される。
【発明の効果】
【０００７】
本発明は、上記のように構成され、上下にネック部を有するボトル本体と、該ボトル本体の上方ネック部に着脱可能に取り付けられるキャップと、該キャップに設けられボトル本体を吊下げ可能な吊下げ部と、上記下方ネック部に連結されるポンプを具備し、上記キャップにはボトル本体の上方ネック部に形成した係止溝に係合するスライド係合片が設けられ、上記ポンプは可撓性のポンプ壁体を押圧することによりボトル本体内の内容物をノズルから定量吐出する構成にしたから、ボトル本体を適宜の支持棒やフック等に吊下げることができ、複数個吊下げても場所をとらず、衛生的であり、また内容物の補充をする際は、上記スライド係合片を係止溝から外すことにより、ボトル本体をキャップから取り外し、上方ネック部から内容物を容易に補充することができ、周囲を滴下物で汚染するおそれもない。
【０００８】
また、上記ポンプを、ボトル本体の上記下方ネック部に連通する流路を有し下端にノズルを連結した内方パイプと、該流路に形成した弁孔を開閉するよう内方パイプ内に設けられたボールと、該内方パイプの中間に形成した流通孔の外周を取り囲み内容物の収納空間を形成する可撓性のあるポンプ壁体で形成すると、ポンプ壁体を軽く押圧（握る）してから開放すると、ポンプ壁体が収縮する際に、ポンプ壁体内に収納されていた内容物がノズルから吐出され、ポンプ壁体が収縮状態から復帰する際にボトル本体内より内容物がポンプ壁体内に吸引される。このときの吐出、吸引量はポンプ壁体の大きさにより規定されるから、該ポンプ壁体により吐出量を定量に制御でき、かつポンプ壁体が自身の弾性作用でもとの形態に復元しなければ次に押圧することができないので、従来のポンプディスペンサーのように何度も繰り返して無駄に内容物を使用するというようなおそれもなく、経済的であり、環境汚染を生じるおそれも少ない。
【図面の簡単な説明】
【０００９】
【図１】本発明の一実施例を示し吊り下げ状態の斜視図。
【図２】斜視図。
【図３】ボトル本体からキャップを外した状態の一部の斜視図。
【図４】キャップ部分の分解斜視図。
【図５】キャップ部分のスライド係合片の状態を示し、（Ａ）はボトル本体の上方ネック部に係合している状態、（Ｂ）は該ネック部から外れている状態の説明図。
【図６】縦断面図。
【発明を実施するための形態】
【００１０】
本発明の一実施例を示す図１〜図６を参照し、詰替えボトル装置１のボトル本体２は、中間部から下方部分が膨らんだ略筒状に形成され、上下に該ボトル本体内に開口するネック部３、４が設けられているが、該ボトル本体２の形状は種々の形態に形成することができる。上記上方ネック部３は、ボトル本体２の肩部５から上方に立ち上がり、先端外周にテーパー面６が形成され、中間には環状に凹んだ係止溝７が設けられている。下方ネック部４の外周には雄ねじ８が形成され、ポンプ９が連結されている。
【００１１】
上記上方ネック部３には、着脱可能にキャップ１０が取り付けられ、該キャップ１０にはボトル本体２を吊下げ可能な吊下げ部１１が設けられている。該吊下げ部１１は、図に示す実施例では、一端がキャップ１０の上面（天板）から一体的に上方に立ち上がりその先端がキャップの該上面と間隔をあけて対向している略逆Ｊ字状に湾曲するフック形状であるが、両端がキャップの上面から一体的に立ち上がる略Ｕ字状にしたり、別体に形成した適宜形状のフックやリング等をキャップに取り付けるようにしてもよい（図示略）。
【００１２】
上記キャップ１０を着脱可能に取り付けるには、種々できるが、好ましくは上記上方ネック部３にワンタッチで着脱できる構成がよい。図に示す実施例では、該上方ネック部３の係止溝７に係合するスライド係合片１２をキャップに設けて片手で着脱できるようにしている。詳述すると、上記キャップ１０は、天板１３の下方にボトル本体３の肩部５に下端が接する筒状の壁体１４を有し、上記天板の裏面には上方ネック部３の先端が入り込む受部１５が形成され、該受部１５を形成する段部の下面１６はスライド係合片１２の上面が接する面となり、該下面１６には上方ネック部を挟んでその両側に対向しスライド係合片１２の側面が摺動するようガイド壁１７が設けられ、壁体の外周面には側方に開口する操作孔１８が設けられている。また、上記ガイド壁１７の下方には、スライド係合片１２の下面を支えるよう支持板１９が挿入され、ねじ２０により固定される。この支持板１９には、上記上方ネック部３を挿通できる大きさの受入孔２１が形成されており、該受入孔２１の下周縁には、上方ネック部の挿入をガイドする傾斜面２２が形成されている。
【００１３】
上記スライド係合片１２はプラスチック材料で板状に形成され、上記上方ネック部３の先端を挿通できるよう略円形状に形成された係止孔２３を有し、両側には上記ガイド壁１７に摺接する側面２４が形成され、一方には上記操作孔１８に臨んで略Ｌ字状に屈曲する操作部２５が設けられている。上記係止孔２３を挟んで該操作部２５の反体側には、キャップ１０の壁体の内面に当り該スライド係合片１２を操作部２５方向に付勢するよう爪状に延びる２本の弾性脚２６が対向状態に突設されている。該スライド係合片１２は、通常は該弾性脚２６の作用で周側面２７がキャップの壁体１４の内面に当接するまで操作部２５方向に移動し、このとき該操作部２５は上記操作孔１８から殆ど突出せず、キャップ１０の壁体１４の外周面とほぼ面一になるようにしてある。なお、上記弾性脚は適宜数設けることができ、また弾性脚２６の先端間に、弾性脚の弾性に抗してスライド係合片１２をキャップ内に押し込んだとき、キャップの壁体の内面に当接するようストッパーをスライド係合片に突設してもよい（図示略）。
【００１４】
図５を参照し、上記スライド係合片１２の係止孔２３には、該スライド係合片１２が操作部２５方向に移動しているとき、上記上方ネック部３の係止溝７に嵌り込んで係合しかつスライド係合片１２をキャップ内に押し込んだとき該係止溝７から外れるよう内周係止縁２８が形成されている。したがって、該係止孔２３は図５に示すようにスライド係合片１２の移動方向に横長の変形円形状となっている。
【００１５】
図６を参照し、上記ポンプ９は可撓性のポンプ壁体２９を押圧することによりボトル本体２内の液状の内容物をノズル３０から定量吐出できる構成を有している。図６において、ポンプ９は、内面に雌ねじ３１を形成した継手３２により上記下方ネック部４に接続されており、下端に接続パイプ３３を突設した挿入筒３４を下方ネック部に挿入し、該接続パイプ３３に固着される内方パイプ３５を有している。該内方パイプ３５は内容物の流路となり、内部に弁孔が設けられている。図６において、弁孔は、内方パイプ３５の途中に形成した下部弁孔３６と上記接続パイプ３３の下端に開口する上部弁孔３７で構成され、上部弁孔３７と下部弁孔３６の間には、図において上昇したとき上記上部弁孔３７を閉塞するとともに下部弁孔３６を開放し、降下したとき上部弁孔３７を開放するとともに下部弁孔３６を閉鎖するようボール３８が挿入されている。該内方パイプ３５は上記ボール３８を内部に挿入したのち、上記挿入筒３４に超音波音溶着等により固定される。
【００１６】
上記内方パイプ３５の下端に設けたノズル３０は、吐出口３９を有し上記内方パイプ３５の下端に超音波溶着等により固定される吐出口部材４０と、該吐出口部材４０内に設けられ上記吐出口３９に接するＯリング等を下端に有する弁棒４１と、該弁棒４１を図において上方に付勢する吐出口ばね４２を有する。該吐出口ばね４２は弱いばねであり、上記ポンプ壁体２９を押圧した際の加圧力で弁棒４１が降下することを許容する程度の強さである。上記内方パイプ３５の中間部には内容物が出入り可能な流通孔４３が形成され、該流通孔４３の外周を取り囲み内容物の収納空間を形成するよう可撓性のある上記ポンプ壁体２９が設けられている。該ポンプ壁体２９は、図に示すように略球状に形成され、上方に係止溝４４を有し、該係止溝４４に上記継手３２の下端のフランジ部を係合させて保持され、下方には上記内方パイプ３５の下端が挿入され筒状部４５が設けられている。
【００１７】
上記の構成によりキャップ１０の吊下げ部１１を、例えば図１に示すように、浴室内のシャワーハンガー４６に設けた支持棒４７に引っ掛ければ、複数の詰替えボトル装置１を大きな設置場所をとらずに浴室内に置くことができる。そして、下端のポンプ９のポンプ壁体２９を押圧すれば（握れば）、ポンプ壁体の変形による加圧力でボール３８が上昇して接続パイプ３３の下端の上部弁孔３７を閉塞するとともに下部弁孔３６が開いてポンプ壁体２９内の内容物がノズル３０から押し出され、所定量使用することができる。また、ポンプ壁体２９の押圧を止めればポンプ壁体２９がもとの状態に復元するときの吸引力でボール３８が降下するとともに上部弁３７孔が開いてボトル本体２内から内容物を所定量ポンプ壁体２９内に取り入れることができる。このようにして、ポンプ壁体２９を１回押圧するごとに、内容物を定量吐出させることができる。そして、ボトル本体２内の内容物が減少したときや毎日の始業時に、上記キャップ１０の操作孔１８に臨んでいる操作片２５を上記弾性脚２６の弾性に抗して押圧すれば、スライド係合片１２の内周係止縁２８が上方ネック部３の係止溝７から外れ、ボトル本体２をキャップ１０から取り外すことができ、内容物の補充が容易にできる。充填後はボトル本体２の上方ネック部３の先端をキャップ１０に差し込めば、スライド係合片１２は上方ネック部３の先端に押されて進退し上記内周係止縁２８が上記係止溝７に係合し、簡単にキャップに連結して吊下げることができる。
【００１８】
本発明の詰替えボトル装置は上記のように構成されているので、短時間で補充作業ができ、業務用施設で好適に使用できるが、家庭内で使用できることは勿論である。
【符号の説明】
【００１９】
１    詰替えボトル装置
２    ボトル本体
３    上方ネック部
４    下方ネック部
７    係止溝
９    ポンプ
１０  キャップ
１１  吊下げ部
１２  スライド係合片
１７  ガイド壁
１８  操作孔
１９  支持板
２５  操作部
２６  弾性脚
２８  内周係止縁
２９  ポンプ壁体
３０  ノズル 
【図１】
0005789101.tif 000002
【図２】
0005789101.tif 000003
【図３】
0005789101.tif 000004
【図４】
0005789101.tif 000005
【図５】
0005789101.tif 000006
【図６】
0005789101.tif 000007